(57)【要約】【課題】大径，広巾のウエブの巻芯チャックにおいて、巻芯内径面へのチャック接圧性を高め、安定したチャッキングを達成する。【解決手段】ウエブを巻取る又は巻出す巻芯１内径部に嵌合するチャック２外径部分に複数に分割されたラグ３を有し、該ラグ３を巻軸のテーパーのスライドを利用して昇降出入りさせる巻芯チャック装置において、前記巻軸のスライド機構にモータＭ2とボールねじ１２を有し、かつボールねじ１２に巻軸スライド方向の予圧を与えるエアーシリンダー１３を付設してなる予圧機構を併設した。    【選択図】    図１
0003105087.tif 000002
【実用新案登録請求の範囲】
【請求項１】
ウエブを巻取る又は巻出す巻芯内径部に嵌合するチャック外径部分に複数に分割されたラグを有し、該ラグを巻軸のテーパーのスライドを利用して昇降出入りさせる巻芯チャック装置において、前記巻軸のスライド機構にモータとボールねじを有し、かつボールねじに巻軸スライド方向の予圧を与えるエアーシリンダーを付設してなる予圧機構を併設したことを特徴とする巻芯チャック装置。
【考案の詳細な説明】
【技術分野】
【０００１】
本考案はウエブを巻取る巻取ロールの巻芯又は巻出す巻出ロールの巻芯に係り、特に広巾，長尺のウエブを巻取る又は巻出す大径ロールの巻芯に好適なチャック装置に関するものである。
【背景技術】
【０００２】
従来の巻芯チャック装置は、一般的巻芯内径部に嵌合するチャック外径部分に複数個に分割されたラグを設け、そのラグを巻軸のテーパーのスライドを利用して昇降（出入り）させることにより巻芯とチャックを固定させ、巻取るトルク又は巻出すトルク及び巻出すトルクを伝達させているが、この巻取る又は巻出すトルクの伝達には空気圧を使用して巻芯内径部とチャックを固定することが多く行われている。（例えば特許文献１参照）
【特許文献１】特開平８−２８２８８号公報
【考案の開示】
【考案が解決しようとする課題】
【０００３】
しかし、最近における大径，広巾のウエブにおいて、上記従来のチャック装置を巻取ロール又は巻出ロールに利用するときは、そのような空気圧だけでは充分対応することができず、巻芯によってはチャック時にスリップが生じるという問題がある。
【０００４】
と云って、空気圧による巻芯内径部への接圧部分を長く形成することは経済的に得策とは云えない。
【０００５】
本考案は上述の如き実状に対処し、時に機械的にモータとボールねじを使用し、かつボールねじに予圧を与えるエアーシリンダーを付加することにより巻芯内径面へのチャックの接圧性を高め、巻芯に対しより安定したチャッキングを可能ならしめることを目的とするものである。
【課題を解決するための手段】
【０００６】
即ち、上記目的を達成する本考案は、ウエブを巻取る又は巻出す巻芯内径部に嵌合するチャック外径部分に複数に分割されたラグを有し、該ラグを巻軸のテーパーのスライドを利用して昇降出入りさせる巻芯チャック装置において、前記巻軸のスライド機構にモーターとボールねじからなり、かつボールねじに巻軸スライド方向の予圧を与えるエアーシリンダーを付設した予圧機構を併設したことを特徴とする。
【０００７】
この本考案装置によれば、巻軸のテーパーのスライドを利用してチャック外径部分のラグを出没させ、突出させてチャックを巻芯内径部に接圧固定させると共に、モーターとボールねじを利用し、かつ、更にボールねじにスライド方向の予圧を与えることにより上記接圧固定をより強固とすることができ、広巾，長尺ウエブを巻取り又は巻出す大径ロールの巻芯に対しても充分、安定したチャッキングをすることができる。
【考案の効果】
【０００８】
この本考案装置を用いることにより、モータとボールねじによって空気圧だけによる巻芯内径部とチャックの固定の外に、機械的作動が加えられ、しかもラグの巻芯内面への押圧に更に予圧が与えられるために従来のチャックに比しより強化，安定した、確実なチャッキングが可能となり、広巾，長尺用の巻芯のチャック装置として顕著な効果が期待される。
【考案を実施するための最良の形態】
【０００９】
以下、更に本考案の具体的な実施形態を図１〜図３にもとづいて説明する。  図１は本考案チャック装置の１例を一部内部構造で示した左半部概要図（右半部も同様であるため省略した）であり、図２はチャック側面概要図である。
【００１０】
これら図において、１はウエブを巻取る又は巻出すロール巻芯、２は該巻芯内径部に嵌合し、巻芯内径部と固定されるチャックであり、チャック外径部分は複数のセグメント２ａに分割されていて、隣接セグメント２ａの間に夫々、ラグ３が設けられており、ラグ３は巻軸８先端の勾配部のテーパーのスライドにより昇降しチャック外周より出没し得るようなになっている。
【００１１】
巻軸８はチャック回転駆動モータＭ1より伝動プーリ６，７を介してフレームＦ内でベアリング９で支承されて回転駆動が可能であり、復帰ばね４が支承板５と、チャック２後端凹部との間に介設されてばね押圧によるラグ３の突出と、復帰ばねの復動によるラグ３の没入をあり溝３´に沿って可能ならしめている。
【００１２】
しかして、本考案は上記の如き構成において、特にフレームＦ下部に予圧機構が設けられており、前記ばね押圧に予圧を与えてチャッキングをより安定せしめている。
【００１３】
予圧機構は、フレームＦ下部に隣接して設けられたチャッキングモータＭ2の軸１０がベアリング１１により支承されて延び、その先端にボールねじ１２が形成されてフレームＦ下部に貫設されたチャック閉時の予圧エアーシリンダー１３のピストン軸に連なり、ボールねじ１２にスライド方向の予圧を与え、チャック２と巻芯内径面の固定をより安定化している。
【００１４】
なお、図において上記チャック装置，予圧機構を含むフレームＦはベース１４のリニアレール１５を介して摺動可能となっていて、復帰ばね４が復帰状態にあってチャック２のラグ３がチャック２外周内に没入されてチャック２が巻芯１内に嵌合される。
【００１５】
そして、嵌合後、予圧エアーシリンダー１３により予圧が与えられた状態で、図３に示す如くフレームＦを前進させ、復帰ばね４を圧縮させると共にチャック２を矢印方向にスライド前進させると、チャック２内に没入していたラグ３はテーパーに沿ってチャック外周より突出し、巻芯１の内径部に接圧して両者を固定して巻取り又は巻出を行う。
【００１６】
次に巻芯１に対する巻取り又は巻芯１よりの巻出しが終了し、巻芯１を取り出すときは、図３の矢印方向と逆方向、即ち、チャック２は左方向に後退し、テーパーの移行によりラグ３はあり溝３´に沿って下方へ退去して、図１に示す状態となってチャック２を巻芯１より離脱させ、巻芯を取り外すことが可能となる。
【００１７】
以上のような作動において、特に予圧エアーシリンダーにより予圧を与えることによりチャッキングはより安定化され、広巾，長尺のウエブを巻取る、又は巻出す大径ロールの巻芯においても巻芯内径部とチャックの固定をより確実かつ安定に行うことができる。
【図面の簡単な説明】
【００１８】
【図１】本考案チャック装置の一部内部構造で示す左半部の正面概要図である。
【図２】チャックのラグ配置を示す側面図である。
【図３】チャック閉時の状態を示す一部断面の要部正面図である。
【符号の説明】
【００１９】
１：巻芯
２：チャック
３：ラグ
１２：ボールねじ
１３：予圧エアーシリンダー
Ｍ1：チャック回転駆動モータ
Ｍ2：チャッキングモータ
Ｆ：フレーム
【図１】
0003105087.tif 000003
【図２】
0003105087.tif 000004
【図３】
0003105087.tif 000005